(57)【特許請求の範囲】
【請求項１】
ダイレクトプラグエレメントであって、
露出している接触領域（７）との直接形接触接続用に構成されているコンタクトプレート（４）と、
前記コンタクトプレート（４）が配置されているハウジング（３）と、を備えたダイレクトコンタクト（２）を有し、
前記コンタクトプレート（４）は、接触部分（４１）と、当接部分（４２）とを有し、
前記当接部分（４２）は、前記接触部分（４１）が、前記露出している接触領域（７）との接触のために前記ハウジング（３）から突出するように、前記コンタクトプレート（４）の変形をもたらすために、当接面（１２；５０）と接触するように構成されており、
前記コンタクトプレート（４）は、非接触状態では前記ハウジング（３）内に位置していて、前記当接部分（４２）と前記当接面（１２；５０）との接触時に初めて、前記露出している接触領域（７）との接触のために前記ハウジング（３）から表出するよう構成されていることを特徴とする、ダイレクトプラグエレメント。
【請求項２】
前記コンタクトプレート（４）は、ほぼＵ字形の形態を有することを特徴とする、請求項１記載のダイレクトプラグエレメント。
【請求項３】
前記コンタクトプレート（４）はさらに、案内部分（４３）を有することを特徴とする、請求項１又は２記載のダイレクトプラグエレメント。
【請求項４】
前記案内部分（４３）は、前記ハウジング（３）のカバー（３０）の内面にルーズに当接していることを特徴とする、請求項３記載のダイレクトプラグエレメント。
【請求項５】
前記ハウジング（３）は、断面においてほぼＵ字形に形成されていて、前記コンタクトプレートの接触部分（４１）は、前記ハウジング（３）の壁がない側に配置されていることを特徴とする、請求項１から４までのいずれか１項記載のダイレクトプラグエレメント。
【請求項６】
前記ハウジング（３）は所定のハウジング壁に開口を有し、前記接触部分（４１）は、前記開口において配置されていて、かつ前記露出している接触領域（７）との接触状態において前記開口から突出していることを特徴とする、請求項１から４までのいずれか１項記載のダイレクトプラグエレメント。
【請求項７】
前記ダイレクトプラグエレメントはさらに、前記コンタクトプレート（４）と前記ハウジング（３）との接触位置の係止を保証するように構成されている係止装置（８）を有することを特徴とする、請求項１から６までのいずれか１項記載のダイレクトプラグエレメント。
【請求項８】
前記係止装置は、切欠き（８１）を有し、かつ係止ノーズ（８２）を有することを特徴とする、請求項７記載のダイレクトプラグエレメント。
【請求項９】
前記切欠き（８１）は前記コンタクトプレート（４）に設けられていることを特徴とする、請求項８記載のダイレクトプラグエレメント。
【請求項１０】
前記係止ノーズ（８２）は前記ハウジング（３）に設けられていることを特徴とする、請求項８又は９記載のダイレクトプラグエレメント。
【請求項１１】
前記ダイレクトコンタクト（２）が中に押し込まれる収容部（５１）を有するプラグハウジング（５）をさらに備え、
前記プラグハウジング（５）は、前記ダイレクトコンタクト（２）の前記収容部（５１）への押込み方向（Ａ）に対して垂直を成すように設けられた当接面（５０）を有しており、押し込みプロセスの最後辺りに、前記コンタクトプレート（４）の前記当接部分（４２）が前記当接面（５０）に接触することで、前記コンタクトプレート（４）の前記接触部分（４１）が前記ハウジング（３）から表出することを特徴とする、請求項１から１０までのいずれか１項記載のダイレクトプラグエレメント。
【請求項１２】
請求項１から１１までのいずれか１項記載のダイレクトプラグエレメントを有する電気的なアセンブリ。
【請求項１３】
請求項１から１１までのいずれか１項記載のダイレクトプラグエレメントと、対応部材とを有し、該対応部材は、前記コンタクトプレート（４）の当接部分（４２）の当接用の当接面（１２）を有する、電気的なアセンブリ。
【請求項１４】
前記対応部材は制御機器であることを特徴とする、請求項１３記載の電気的なアセンブリ。
【発明の詳細な説明】
【技術分野】
【０００１】
本発明は、保護されたダイレクトコンタクト（Direktkontakt）を備えたダイレクトプラグエレメント（Direktsteckelement）、及び本発明に係るダイレクトプラグエレメントを備えた電気的なアセンブリに関する。
【０００２】
最近では、ダイレクトプラグエレメントが直接的にキャリアプレート、例えばプリント配線板又はリードフレームに差し込まれるダイレクトプラグコンタクトがますます使用される。特に車両領域において使用する場合、やはり上記直接差込み型コネクタの頑丈さ及び耐用年数に関しての要求は高まっている。これまでダイレクトコンタクトのコンタクトプレートは、ダイレクトプラグエレメントのハウジングから十分に保護されずに突出している。これにより、搬送時、処理時又は取付け時、つまりダイレクトコンタクトのダイレクトプラグエレメントへの組付け時に損傷することがある。さらに、接触表面が傷つく或いは引っ掻かれるか若しくは極端な場合においては部分的に除去されるか、又は不都合な変形が生じる、という危険性がある。これにより、接触接続の問題が生じることがある。この危険性は、特に車両のための使用事例において存在する。その理由は、車両においてシールされている差込み型コネクタは、飛沫水等に対する防護部として使用する必要があり、この差込み型コネクタにおいては、ダイレクトコンタクトはエラストマシール部を貫通して取り付ける必要があるからである。
【０００３】
発明の開示
これに対して、請求項１の特徴を備えた本発明に係るダイレクトプラグエレメントは、損傷から極めて良好に保護されている、という利点を有する。特に、シール部を貫通した組付けも、ダイレクトコンタクトの損傷なく可能である。このことは本発明によれば、ダイレクトプラグエレメントは、コンタクトプレート及びハウジング（コンタクトボックス）を備えたダイレクトコンタクトを有することにより達成される。コンタクトプレートは、キャリアプレート、例えばプリント配線板の露出している接触領域、リードフレーム又は基板との直接形接触接続用に構成されている。コンタクトプレートは、ハウジング内で保護されて配置されている。この構成において、コンタクトプレートは、接触部分及び当接部分を有する。この当接部分は、当接面と接触するように構成されている。これにより、コンタクトプレートの変形は、接触部分がハウジングから突出し、ひいてはキャリアプレートの接触領域との接触を形成することができるようにもたらされる。したがって、本発明によれば、コンタクトプレートは、搬入状態においてハウジング内に保護されて配置することができる。当接面との接触時に初めて、対応部材との電気的な接触接続を可能にするために、コンタクトプレートは、少なくとも部分的にハウジングから表出する。
【０００４】
従属請求項は、本発明の有利な改良形を示す。
【０００５】
好ましくは、コンタクトプレートは実質的にＵ字の形態を有する。これにより、簡単でかつ廉価に製造されるコンタクトプレートを提供することができる。特に、コンタクトプレートの当接部分が、Ｕ字の形態の２つの脚部の結合領域に配置されていると、コンタクトプレートの接触部分の極めて簡単な表出を、当接面との当接時に達成することができる。
【０００６】
さらに好ましくは、コンタクトプレートはさらに、当接面における当接部分の当接時にコンタクトプレートの変形をもたらすために、案内部分を有する。これにより、コンタクトプレートの規定された変形を達成することができる。好ましくは、Ｕ字形のコンタクトプレートにおける案内部分は、脚部に配置されている。この脚部には接触部分は配置されていない。特に好ましくは、案内部分はさらにハウジングのカバーの内面と接触していて、内面に沿って案内される。
【０００７】
本発明のさらに別の有利な構成によれば、ハウジングは実質的に断面でＵ字形に形成されている。この構成において、コンタクトプレートの接触部分は、ハウジングの壁のない側に配置されている。Ｕ字形のハウジングの両脚部壁は、好ましくは、コンタクトプレートの良好な保護を保証するために、脚部の方向にコンタクトプレートの寸法よりも長くなっている。
【０００８】
本発明の択一的な構成によれば、ハウジングはハウジング壁に、コンタクトプレートの接触部分が配置されている開口を有する。接触位置において、接触部分はハウジング壁における開口から突出している。
【０００９】
本発明のさらに別の有利な構成によれば、ハウジング又はこのハウジングを取り囲む、ダイレクトプラグエレメントの補助ハウジング、特にプラスチックハウジングは、当接面を有する。択一的には当接面は、他の別体の構成部品、例えば、露出している接触領域が設けられている対応部材のハウジングに配置されている。
【００１０】
さらに好ましくは、ダイレクトコンタクトはさらに、コンタクトプレートとハウジングとの接触位置の係止を保証するように構成されている係止装置を有する。この係止装置は、好ましくは２つの構成部品の一方に開口を有し、２つの構成部品の他方に、開口に係合する、突出している突起であるノーズを有する。この突出しているノーズは、好ましくはばね弾性的に形成されていてよい。
【００１１】
特に好ましくは、切欠きがコンタクトプレートに配置されていて、係止ノーズはハウジングに設けられている。
【００１２】
さらに本発明は、本発明に係るダイレクトプラグエレメントと、対応部材、特に制御機器とを有する電気的なアセンブリに関し、この構成において、コンタクトプレートの当接部分の当接用の当接面が、対応部材、特に制御機器のハウジングに配置されている。
【００１３】
例えば、車両において使用するための電気的なアセンブリが設計されていて、この電気的なアセンブリは、制御機器及びダイレクトプラグエレメントを有する。
【図面の簡単な説明】
【００１４】
【図１】本発明の第１の実施の形態に基づく、ダイレクトプラグエレメント用のダイレクトコンタクトの概略的な断面図である。
【図２】図１に示したダイレクトコンタクトの概略的な斜視図である。
【図３】図１に示したダイレクトコンタクトを正面から見た概略図である。
【図４】対応部材と接触状態にある、図１に示したダイレクトプラグエレメントの概略的な断面図である。
【図５】対応部材と接触状態にある第２の実施の形態に基づく、ダイレクトプラグエレメントの概略的な断面図である。
【００１５】
以下に、本発明の有利な実施の形態を、添付の図面を参照にして詳細に説明する。
【００１６】
本発明の有利な実施の形態
以下に、図１〜図４に基づいて、本発明の有利な第１の実施の形態に基づくダイレクトプラグエレメント１を詳細に説明する。
【００１７】
第１の実施の形態に基づく本発明に係るダイレクトプラグエレメント１は、コンタクトボックス若しくはハウジング３及びコンタクトプレート４を備えたダイレクトコンタクト２を有する。ハウジング３及びコンタクトプレート４は、好ましくは同じ材料から製造されている。ダイレクトコンタクト２は、圧着接続部９を介してケーブル１０に電気的に接続されている。
【００１８】
特に図２及び図３から看取可能なように、ハウジング３は断面において、第１の壁領域３１と、第２の壁領域３２と、これら２つの壁領域を互いに結合するカバー３０を備えた、実質的にＵ字形の構成を有する。この実施の形態において、２つの壁領域３１，３２は夫々、コンタクトプレート４が、図１から看取可能であるように、ハウジング３によって完全に取り囲まれているように所定の高さを有する。これにより、コンタクトプレートの極めて有利な保護部を獲得することができる。
【００１９】
コンタクトプレート４は断面において実質的にＵ字形状を有し、コンタクト部分４１と、当接部分４２と、案内部分４３とを有する。この案内部分４３は、カバー３０の内面にルーズに若しくは緩く当接している。接触部分４１は、プリント配線板６において露出している接触領域７との接触接続の実施のために働く（図４参照）。Ｕ字形のコンタクトプレート４の２つの脚部は、この実施の形態においては、異なる長さを有する。
【００２０】
図４に、ダイレクトプラグエレメント１とプリント配線板６との間の接触状態を記載する。ダイレクトプラグエレメント１は、付加的にさらに、好ましくはプラスチック材料から製造されているプラグハウジング５を有する。このプラグハウジング５に当接面５０が設けられている。この当接面５０は、ダイレクトコンタクト２の押込み方向Ａに対して垂直を成している。ダイレクトプラグエレメント１にダイレクトコンタクトを取り付ける場合、ダイレクトコンタクト２は、プラグハウジング５内に形成されている収容部５１内に押し込まれる。押込みプロセスの最後辺りに、コンタクトプレート４の当接部分４２は、プラグハウジング５に設けられている当接面５０に接触する。これにより、接触部分４１がダイレクトコンタクト２のハウジング３から、押込み方向Ａに対して垂直に矢印Ｂの方向に押し出されるように、コンタクトプレート４は変形する。こうして、コンタクトプレート４の接触部分４１は、ダイレクトプラグエレメント１から突出することが達成される。これにより、プリント配線板６に設けられている、露出している接触領域７との確実な直接形接触接続を達成することができる。
【００２１】
コンタクトプレート４の上記接触状態を確実にするために、さらに係止装置８が設けられている。この係止装置８は、案内部分４３に形成されている切欠きと、幾何学的に切欠きに対応して形成されている、ハウジング３に設けられている係止ノーズ８２とを有する。特に図１から看取可能であるように、係止ノーズ８２はカバー３０からコンタクトプレート４の方向に押し出されている。係止ノーズ８２は、例えば打抜きプロセスにより簡単に形成することができる。当接面５０に当接部分４２が当接している間、案内部分４３は、カバー３０の内面に沿ってコンタクトプレート４を案内する。係止装置８は、接触部分４１が、予め規定された間隔だけダイレクトプラグエレメント１から突出している場合、切欠き８１が正確に係止ノーズ８２に下方から係合するような位置に設けられている。予め規定された間隔は、対応部材の確実な直接形接触接続が可能であるように選択される。
【００２２】
したがって、コンタクトプレート４を、図１に示した搬送状態において、ハウジング３の内側に保護されて配置することができる。ダイレクトコンタクト２のプラグハウジング５内への導入プロセスでもってようやく、接触部分４１はプラグハウジング５から表出する。係止装置８は、上記表出された位置を保証する。さらに係止装置８は、コンタクトプレートと接触領域７との接触状態中に所定の予負荷力も確保する。したがって、ダイレクトコンタクト２は、保護部として、コンタクトプレート４を損傷から保護する独自のハウジング３を有する。
【００２３】
以下に、図５に基づいて、本発明の第２の実施の形態に基づくダイレクトプラグエレメント１を詳細に説明する。同じ部品又は機能に関して同じ部品には、第１の実施の形態と同じ符号を用いて記載する。
【００２４】
第２の実施の形態において、ダイレクトコンタクト２は、第１の実施の形態と同じく構成されている。ただし、ダイレクトプラグエレメント１に統合されて形成されている面はもはや当接面として働かず、ハウジング部材のハウジング１１のハウジング面１２が、当接面を形成する。したがって、第２の実施の形態においては、ダイレクトプラグエレメント１が、プリント配線板６に差し込まれる差込みプロセス中に、コンタクトプレート４は変形して、図５に示した接触状態になる。差込み時に、コンタクトプレート４の支持部分４２は、ハウジング面１２に突き当たり、案内部分４３を介してカバー３０の内面に沿って案内され、接触部分４１は、ダイレクトプラグエレメント１から矢印Ｂの方向に突出するように変形する。コンタクトプレート４の終端位置は、こうして係止装置８を介して保持される。これにより、第２の実施の形態において、ダイレクトコンタクト２のハウジング３におけるコンタクトプレートの保護された位置は、プリント配線板へのダイレクトプラグエレメント１の差込みプロセスまで維持することができる。したがって、ダイレクトプラグエレメントの組付けまで、コンタクトプレート４は保護されて配置されているように、ダイレクトプラグエレメント１にダイレクトコンタクト２を取り付けることができる。
【００２５】
その他の点において、上記実施の形態は、前述の実施の形態に相当するので、前述の説明を参照することができる。
【図１】
0005805313.tif 000002
【図２】
0005805313.tif 000003
【図３】
0005805313.tif 000004
【図４】
0005805313.tif 000005
【図５】
0005805313.tif 000006